(57)【要約】      （修正有）【課題】座部の下方空間における異物の有無を検知して、挟み込み事故を未然に防ぐことのできる、電動昇降椅子用挟まれ防止安全装置を提供する。【解決手段】電動昇降椅子用挟まれ防止安全装置であって、座部、背もたれ、足載せ台を含む電動昇降椅子に適用されると共に、中央処理装置１０と、複数の検知装置２０と、複数の昇降装置３０と、電力供給装置４０と、制御装置５０とを備え、複数の検知装置は、中央処理装置と電気接続されると共に、電動昇降椅子の座部の下方空間における異物の有無を検知する、第１検知センサ２１と少なくとも一つの第２検知センサ２２を含み、該第１検知センサと第２検知センサとは異なる種類のセンサであり、複数の昇降装置は、電動昇降椅子の座部、背もたれ、足載せ台をそれぞれ移動させることができるように、該座部、背もたれ、足載せ台に連結され、電力供給装置が中央処理装置と電気接続され、制御装置が中央処理装置と電気接続される。【選択図】図１
0003229071.tif 000002
【実用新案登録請求の範囲】
【請求項１】
電動昇降椅子用挟まれ防止安全装置であって、座部、背もたれ、足載せ台を含む電動昇降椅子に適用されると共に、中央処理装置と、複数の検知装置と、複数の昇降装置と、電力供給装置と、制御装置とを備え、
前記複数の検知装置は、前記中央処理装置と電気接続されると共に、前記電動昇降椅子の座部の下方空間における異物の有無を検知する、第１検知センサと少なくとも一つの第２検知センサを含み、該第１検知センサと少なくとも一つの第２検知センサとは異なる種類のセンサであり、
前記複数の昇降装置は、前記電動昇降椅子の座部、背もたれ、足載せ台をそれぞれ移動させることができるように、該座部、背もたれ、足載せ台に連結され、
前記電力供給装置が前記中央処理装置と電気接続され、
前記制御装置が前記中央処理装置と電気接続されると共に、該中央処理装置へ指令信号を送信するために用いられ、
前記第１検知センサは、異物を検知すると、前記中央処理装置へ第１検出信号を送信し、それにより、該中央処理装置が、前記複数の昇降装置の動きを停止させるロックモードに入り、
前記少なくとも一つの第２検知センサは、異物を検知すると、前記中央処理装置へ第２検出信号を送信し、それにより、該中央処理装置が、前記複数の昇降装置の動きを停止させるロックモードに入ることを特徴とする電動昇降椅子用挟まれ防止安全装置。
【請求項２】
前記複数の昇降装置は、
前記電動昇降椅子の背もたれを傾斜させるために用いられる第１プッシュロッドと、
前記電動昇降椅子の座部を昇降させるために用いられる第２プッシュロッドとを含むことを特徴とする請求項１に記載の電動昇降椅子用挟まれ防止安全装置。
【請求項３】
前記第１検知センサが、前記電動昇降椅子のリンケージ機構に取り付けられる、タッチセンサであることを特徴とする請求項２に記載の電動昇降椅子用挟まれ防止安全装置。
【請求項４】
前記第１検知センサが、前記中央処理装置及び電力供給装置に電気接続されるように、前記複数の昇降装置に取り付けられるホール効果センサであることを特徴とする請求項２に記載の電動昇降椅子用挟まれ防止安全装置。
【請求項５】
前記少なくとも一つの第２検知センサが、前記電動昇降椅子の座部の底部に取り付けられる焦電型センサまたはマイクロ波センサであることを特徴とする請求項３または請求項４に記載の電動昇降椅子用挟まれ防止安全装置。
【請求項６】
前記少なくとも一つの第２検知センサが、前記電動昇降椅子の座部の底部に取り付けられる超音波センサであることを特徴とする請求項３または請求項４に記載の電動昇降椅子用挟まれ防止安全装置。
【請求項７】
前記制御装置は、前記中央処理装置に配線により接続される有線リモコンであって、前記複数の昇降装置をロックモードから解除するボタンを有することを特徴とする請求項５に記載の電動昇降椅子用挟まれ防止安全装置。
【請求項８】
前記制御装置は、前記中央処理装置に配線により接続される有線リモコンであって、前記複数の昇降装置をロックモードから解除するボタンを有することを特徴とする請求項６に記載の電動昇降椅子用挟まれ防止安全装置。
【請求項９】
前記制御装置は、前記中央処理装置に接続される無線リモコンであって、前記複数の昇降装置をロックモードから解除するボタンを有することを特徴とする請求項５に記載の電動昇降椅子用挟まれ防止安全装置。
【請求項１０】
前記制御装置は、前記中央処理装置に接続される無線リモコンであって、前記複数の昇降装置をロックモードから解除するボタンを有することを特徴とする請求項６に記載の電動昇降椅子用挟まれ防止安全装置。
【考案の詳細な説明】
【技術分野】
【０００１】
本考案は、椅子の安全装置に関し、特に、電動昇降椅子用挟まれ防止安全装置に関するものである。
【背景技術】
【０００２】
高齢化社会に伴い、高さ調整可能な椅子などの、高齢者に優しい生活用品の需要が高まっており、近年、足腰の弱い高齢者などの起立や着座動作を補助する電動昇降椅子が市場に多く出回っている。
【０００３】
既存の電動昇降椅子は、座部と、背もたれと、足載せ台と、及び該座部、背もたれ、足載せ台に連結されるリンケージ機構を備え、利用者は制御装置を介して、リンケージ機構を制御することで、座部の高さや、背もたれの傾き、足載せ台の出し入れを調整する。このような構成によれば、座部を、利用者が着座しやすくなるように、利用者の臀部に近づけるように上昇させることが可能であり、着座後、所望に応じて、再び座部や、背もたれ、足載せ台を好みに合わせた快適な位置に調整することもできる。
【０００４】
しかしながら、既存の電動昇降椅子は、以下に示すような欠点を有する。
【０００５】
１、座部の下方空間に利用者の視線の死角領域があることから、座部の下降中に、子供やペットがこの死角領域に進入してしまうと、座部またはリンケージ機構に挟まれて、事故が起こってしまう虞があった。
【０００６】
２、既存の電動昇降椅子が座部の下方空間にある異物を挟んでしまった場合、壊れたり、破損したりしてしまう可能性があった。
【考案の概要】
【考案が解決しようとする課題】
【０００７】
本考案は、前記の従来技術の欠点に鑑みてなされたものであり、複数の検知装置が設置されることにより、座部の下方空間における異物の有無を検知して、挟み込み事故を未然に防ぐことのできる、電動昇降椅子用挟まれ防止安全装置を提供することを目的としている。
【課題を解決するための手段】
【０００８】
上記目的を達成するために、本考案は、電動昇降椅子用挟まれ防止安全装置であって、座部、背もたれ、足載せ台を含む電動昇降椅子に適用されると共に、中央処理装置と、複数の検知装置と、複数の昇降装置と、電力供給装置と、制御装置とを備え、前記複数の検知装置は、前記中央処理装置と電気接続されると共に、前記電動昇降椅子の座部の下方空間における異物の有無を検知する、第１検知センサと少なくとも一つの第２検知センサを含み、該第１検知センサと少なくとも一つの第２検知センサとは異なる種類のセンサであり、前記複数の昇降装置は、前記電動昇降椅子の座部、背もたれ、足載せ台をそれぞれ移動させることができるように、該座部、背もたれ、足載せ台に連結され、前記電力供給装置が前記中央処理装置と電気接続され、前記制御装置が前記中央処理装置と電気接続されると共に、該中央処理装置へ指令信号を送信するために用いられ、前記第１検知センサは、異物を検知すると、前記中央処理装置へ第１検出信号を送信し、それにより、該中央処理装置が、前記複数の昇降装置の動きを停止させるロックモードに入り、前記少なくとも一つの第２検知センサは、異物を検知すると、前記中央処理装置へ第２検出信号を送信し、それにより、該中央処理装置が、前記複数の昇降装置の動きを停止させるロックモードに入ることを特徴とする。
【考案の効果】
【０００９】
前述した技術特徴によれば、本考案に係る電動昇降椅子用挟まれ防止安全装置は、複数の異なる種類の検知装置を使用することにより、一部の検知装置が作動しなくなっても、他の検知装置によって、挟み込み事故を依然として未然に防ぐことができ、また、座部の下方空間に異物を検出すると、自動的にロックモードに入り、電動昇降椅子の動作を瞬時に停止させることができるので、高い安全性を確保する。
【００１０】
以下、図面に合わせて本考案の好適な実施例を説明し、本考案が予定の創作目的を達成するために取られた技術的手段をさらに述べる。
【図面の簡単な説明】
【００１１】
【図１】本考案に係る電動昇降椅子用挟まれ防止安全装置の構成バーツを示す図である。
【図２】本考案に係る電動昇降椅子用挟まれ防止安全装置が、電動昇降椅子に取り付けられた状態を示す側面視概略図である。
【図３】本考案に係る電動昇降椅子用挟まれ防止安全装置の使用状態を示す模式図である。
【図４】本考案に係る電動昇降椅子用挟まれ防止安全装置の使用状態を示す模式図である。
【考案を実施するための形態】
【００１２】
図１及び図２に示す第１実施例においては、本考案に係る電動昇降椅子用挟まれ防止安全装置が電動昇降椅子８０に適用されており、該電動昇降椅子８０は、座部８１と、背もたれ８２と、足載せ台８３と、該電動昇降椅子８０内に設置されるリンケージ機構８４を備え、該リンケージ機構８４は、導電性材料からなると共に、該座部８１と、背もたれ８２と、足載せ台８３に連結される。尚、前記電動昇降椅子８０は、既存の市販品であるので、その特徴や詳しい構造について、ここでは説明しない。
【００１３】
本考案に係る電動昇降椅子用挟まれ防止安全装置は、中央処理装置１０と、複数の検知装置２０と、複数の昇降装置３０と、電力供給装置４０と、制御装置５０を備え、該複数の検知装置２０、複数の昇降装置３０、電力供給装置４０、制御装置５０は、該中央処理装置１０と電気接続される。
【００１４】
本考案の第１実施例において、前記中央処理装置１０はマイクロコンピュータであって、前記複数の検知装置２０及び制御装置５０から受信した信号に基づいて、前記昇降装置３０を駆動するために用いられる。
【００１５】
図１に示すように、前記複数の検知装置２０は、前記電動昇降椅子８０の座部８１の下方空間における異物の有無を検知する、第１検知センサ２１と少なくとも一つの第２検知センサ２２を含む。図３に示すように、本考案の第１実施例において、前記第１検知センサ２１はタッチセンサであり、前記少なくとも一つの第２検知センサ２２は二つであって、焦電型センサとマイクロ波センサである。
【００１６】
前記第１検知センサ２１は、前記座部８１の下方空間におけるリンケージ機構８４上に取り付けられており、該リンケージ機構８４に電圧を印加することで、該リンケージ機構８４に電界が生成すると共に、該リンケージ機構８４の静電容量の値を常に測定し、人間や動物が該リンケージ機構８４に触れると、その静電容量の値が変化し、該第１検知センサ２１が、前記中央処理装置１０へ第１検出信号を送信する。詳しく述べると、本考案の第１実施例においての前記リンケージ機構８４は金属材料から作られ、その表面に導電性塗料がコーティングされており、前記二つの第２検知センサ２２は、前記座部８１の底部に間隔をおいて取り付けられ、前記電動昇降椅子８０の座部８１の下方空間における異物の有無を検知する。
【００１７】
図３及び図４に示すように、前記複数の昇降装置３０は、前記リンケージ機構８４に設けられると共に、電気によって駆動し、該複数の昇降装置３０はそれぞれ、前記座部８１や、背もたれ８２、足載せ台８３を動かすために、伸長したり、収縮したりする。具体的に述べると、本考案の第１実施例において、複数の昇降装置３０は異なる機能を果たすための、第１プッシュロッド３１と第２プッシュロッド３２を含み、該第１プッシュロッド３１が、前記リンケージ機構８４と連動して、前記背もたれ８２を利用者の要望に応じて、横臥姿勢や着座姿勢に対応させるように傾かせるために用いられる。前記第２プッシュロッド３２は、利用者の高さに調整するために、前記座部８１や足載せ台８３を上昇させたり、下降させたりするために用いられる。
【００１８】
本考案に係る電動昇降椅子用挟まれ防止安全装置に電力を供給するための電力供給装置４０は、施設の電力供給用コンセントに接続するためのプラグ４１と、該プラグ４１と連結される変圧器４２とを含み、該変圧器４２は、該プラグ４１からの電力を所定の直流電圧の直流電力（ＤＣ）に変換して、該挟まれ防止安全装置の各構成要素へ供給するものである。
【００１９】
前記制御装置５０は、前記座部８１及び足載せ台８３の昇降、前記背もたれ８２の傾斜、及びロックモードを解除するためのボタンを有する。尚、前記制御装置５０は、前記中央処理装置１０に接続される有線リモコン５１であっても、又は無線リモコン５２であってもよい。
【００２０】
また、前記中央処理装置１０は、ブルートゥース（登録商標）などの遠隔通信可能な機能を有してもよく、このような設計により、携帯電話などの端末機器６０を介して、前記中央処理装置１０へ無線信号を送信することで、本考案に係る挟まれ防止安全装置を上述のように制御することができる。
【００２１】
図２〜図４に示すように、利用者は、前記制御装置５０または端末機器６０を介して、前記中央処理装置１０に指令信号を送信して前記電動昇降椅子８０を好みに合わせて最適な位置に調整するように制御を行い、調整中に、子供やペットが該座部８１の下方空間に侵入し、前記リンケージ機構８４に触れると、前記第１検知センサ２１が、静電容量値の変動を検出して第１の検出信号を前記中央処理装置１０へ送信し、該中央処理装置１０が、前記昇降装置３０を停止させようとするロックモードに入り、挟み込み事故を未然に防ぐ。
【００２２】
さらに、それぞれが焦電型センサ、マイクロ波センサである、前記二つの第２検知センサ２２はいずれも、生物の存在を検出することが可能であるので、子供やペットが前記電動昇降椅子８０の座部８１の下方空間に侵入すると、該第２検知センサ２２によって検出されて第２の検出信号を前記中央処理装置１０へ送信し、該中央処理装置１０が、前記昇降装置３０を停止させようとするロックモードに入る。尚、前記第２検知センサ２２は、検出範囲を調節するための変調ユニットをさらに有してもよく、また、前記電動昇降椅子８０の安全性をより一層向上させるために、該第２検知センサ２２の設置数量を二つ以上設置してもよい。
【００２３】
また、一旦、子供やペット、又は他の異物が、前記電動昇降椅子８０の座部８１の下方空間に進入し、前記中央処理装置１０がロックモードに入ると、前記複数の昇降装置３０が伸縮動作から停止状態となる。その後、再び該複数の昇降装置３０に伸縮動作を行わせるためには、まず、その下方空間にある障害物を排除する必要があり、その後、前記制御装置５０または端末機器６０上のロックモードを解除するためのボタンを押して、ロックモードを解除してから、該複数の昇降装置３０により伸縮動作を再び行うことにより、該座部８１を下降し続けることが可能となる。
【００２４】
本考案に係る挟まれ防止安全装置の第２実施例は、第１実施例とほぼ同一であり、相違点は単に、前記第２検知センサ２２に超音波センサを使用しているところである。当該超音波センサは、前記座部８１の下方に向けて超音波を連続的に発生させて反射波を受信し、その反射時間を計測する。前記座部８１の下方空間に障害物が現れた場合、反射時間の変化を検出すると、前記二つの第２検知センサ２２が前記中央処理装置１０へ第２検出信号を送信して、前記昇降装置３０を停止させる。
【００２５】
本考案に係る挟まれ防止安全装置の第３実施例は、第１実施例とほぼ同一であり、相違点は単に、前記第１検知センサ２１にホール効果センサを使用しているところである。ホール効果センサである前記第１検知センサ２１は、前記中央処理装置１０及び電力供給装置４０と電気接続されて、前記複数の昇降装置３０のうちの一つに取り付けられると共に、前記座部８１を昇降させる時に流れる電流値を検知するために用いられる。前記座部８１の下方空間に障害物が挟まれてしまった場合に、該座部８１を完全に下降させようとすると、前記複数の昇降装置３０により大きな電流を供給する必要があり、供給される電流値が許容電流値を超えると、前記第１検知センサ２１が前記中央処理装置１０へ第１検出信号を送信して、該昇降装置３０を停止させる。
【００２６】
本考案に係る挟まれ防止安全装置の第４実施例は、上述の第３実施例で説明したような機能を持つホール効果センサである第１検知センサ２１と、上述の第２実施例で説明したような機能を持つ超音波センサである第２検知センサ２２とを組み合わせたものである。
【００２７】
本考案に係る挟まれ防止安全装置の第１〜第４実施例において、前記第１検知センサ２１は、ホール効果センサであっても、タッチセンサであってもよく、前記第２検知センサ２２は、超音波センサであっても、焦電型センサであっても、マイクロ波センサであってもよい。また、本考案を更に向上させるために、前記検知センサ２１、２２は、必要に応じて任意に増減させたり交換しても構わない。
【００２８】
上記の技術手段によって、本考案の電動昇降椅子用挟まれ防止安全装置は、少なくとも以下に示すような優れた点と効果を有する。
【００２９】
１、異なる種類の第１検知センサ２１と第２検知センサ２２を同時に使用することにより、そのうちの一方の検知センサが作動しなくなっても、残りの他方の検知センサによって、挟み込み事故を依然として未然に防ぐことができる。
【００３０】
２、ロックモードは、利用者が手動操作で解除しなければならないように設計されていることから、子供やペット、又は前記座部８１の下方空間の他の障害物が排除されていることを確認しない限り、該座部８１が改めて下降することはない。
【００３１】
３、本考案に係る挟まれ防止安全装置は、携帯電話などの端末機器６０を介して制御するができるので、利用者に対する操作の利便性が向上する。
【００３２】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００３３】
１０        中央処理装置
２０        検知装置
２１        第１検知センサ
２２        第２検知センサ
３０        昇降装置
３１        第１プッシュロッド
３２        第２プッシュロッド
４０        電力供給装置
４１        プラグ
４２        変圧器
５０        制御装置
５１        有線リモコン
５２        無線リモコン
６０        端末機器
８０        電動昇降椅子
８１        座部
８２        背もたれ
８３        足載せ台
８４        リンケージ機構
【図１】
0003229071.tif 000003
【図２】
0003229071.tif 000004
【図３】
0003229071.tif 000005
【図４】
0003229071.tif 000006